(57)【要約】【課題】子牛の適切な飼育環境を容易に把握可能な子牛用の不快環境指標計を提供する。【解決手段】子牛用の不快環境指標計１は、感温湿部により検知された温湿度により指針５が示す、牛舎で飼育される子牛のストレスの度合いの指標となる温湿度指数４０〜１００の範囲のうち、温湿度指数４０〜６０までの間と、温湿度指数７０〜１００までの間に、子牛がストレスを感じる領域を示す表示９ａ、９ｂを、それぞれ記載して、牛舎内の温湿度環境のもとで子牛がストレスを感じる環境であることを示すことができる。【選択図】図２
2014008044.tif 000002
【特許請求の範囲】
【請求項１】
感温材と感湿材よりなる感温湿部を有し、該感温湿部により検知された温湿度により指針が示す、牛舎で飼育される子牛のストレスの度合いの指標となる温湿度指数４０から１００の範囲のうち、
温湿度指数４０から６０までの間と、
温湿度指数７０から１００までの間に、
子牛がストレスを感じる領域であることを示す表示を、それぞれ記載してなり、
牛舎内の温湿度環境のもとで子牛がストレスを感じる環境であることを示すことができるようにしたことを特徴とする子牛用の不快環境指標計。
【請求項２】
前記温湿度指数の数字を表示するとともに、前記指針が回動自在に設けられた表示盤を備え、
前記表示盤には、前記感温材により検知された温度により温度用指針が示す前記牛舎内の温度範囲のうち、
温度−１０℃から１０℃までの間と、
温度３５℃から５０℃までの間に、
子牛がストレスを感じる領域であることを示す表示を、それぞれ記載してなり、
牛舎内の温度環境のもとで子牛がストレスを感じる環境であることを示す温度計が設けられている
ことを特徴とする請求項１に記載の子牛用の不快環境指標計。
【請求項３】
前記温湿度指数の数字を表示するとともに、前記指針が回動自在に設けられた表示盤を備え、
前記表示盤には、前記感湿材により検知された湿度により湿度用指針が示す前記牛舎内の湿度範囲のうち、
湿度２０％から５０％までの間と、
温度９０％から１００％までの間に、
低湿度領域及び高湿度領域であることを示す表示を、それぞれ記載してなり、
牛舎内の湿度環境のもとで子牛がストレスを感じる環境であることを示す湿度計が設けられている
ことを特徴とする請求項１又は２に記載の子牛用の不快環境指標計。
【発明の詳細な説明】
【技術分野】
【０００１】
本発明は、子牛のストレスを指標する子牛用の不快環境指標計に関する。
【背景技術】
【０００２】
牛の畜産農家において牛舎内で飼育される牛のストレスの度合いを評価する方法として、温度及び湿度を考慮した温湿度指数が活用されている（特許文献１参照）。この指数はその値が所定値（例えば、６７）を超えると牛がストレスを受けていると考えられている。
【０００３】
この温湿度指数を利用して牛がストレスを受けている状態であるか否かを表示する指標計（文献では、ヒートストレスメーター）が開発されている（非特許文献２参照）。この指標計は、円盤状の指標計本体と、指標計本体の表面に文字や図形等が描かれた表示盤と、表示盤上に回動自在に支持された指針と、指標計本体内に設けられて気温や湿度を検知する感温湿部）と、感温湿部により検知された温湿度に対応する温湿度指数に変換し、この温湿度指数を指し示すように指針を移動させる指針駆動部とを有して構成されている。
【０００４】
表示盤の上側には、温湿度指数の数字（４０〜１００）が表示盤の外周に沿って円弧状に表示され、表示盤の中央部には、温湿度指数を指し示すための指針が回動可能に設けられている。数字の７０と１００との間の内側には、牛がストレスを感じていることを示す着色された表示部が設けられている。
【０００５】
このように温湿度指数のうち牛がストレスを受ける領域を色分けして表示することで、指針が指し示した位置が色分けした表示内であれば、牛がストレスを受けていると容易に判断することができる。
【先行技術文献】
【特許文献】
【０００６】
【特許文献１】特開２００２−２２３６５２号公報（段落００１９）
【非特許文献１】宮崎県畜産試験場、“牛の不快指数、これで計測  暑さ対策で乳量増期待  宮崎”、[online]、朝日新聞、[平成２４年６月２５日検索]、インターネット、（URL:http://www.asahi.com/national/update/0629/SEB201106280058.html）
【発明の概要】
【発明が解決しようとする課題】
【０００７】
この牛が受けるストレスを受ける領域は、成牛に対するものであり、子牛に対してこのまま適用することが出来ない。子牛は、生後数ヶ月は暑熱の他に寒冷の環境要因の影響を受け易く、疾病発生率が高くなると考えられるからである。そこで、子牛育成における適切な飼育環境を容易に把握できる指標計の開発が望まれている。
【０００８】
本発明は、このような問題を解消し、また要望に答えるためになされたものであり、子牛の適切な飼育環境を容易に把握できる子牛用の不快環境指標計を提供することを目的とする。
【課題を解決するための手段】
【０００９】
このような課題を解決するため、本発明の子牛用の不快環境指標計は、感温材と感湿材よりなる感温湿部を有し、該感温湿部により検知された温湿度により指針が示す、牛舎で飼育される子牛のストレスの度合いの指標となる温湿度指数４０から１００の範囲のうち、温湿度指数４０から６０までの間と、温湿度指数７０から１００までの間に、子牛がストレスを感じる領域であることを示す表示を、それぞれ記載してなり、牛舎内の温湿度環境のもとで子牛がストレスを感じる環境であることを示すことができるようにしたことを特徴とする（請求項１）。
【００１０】
また、本発明は、温湿度指数の数字を表示するとともに、指針が回動自在に設けられた表示盤を備え、表示盤には、感温材により検知された温度により温度用指針が示す牛舎内の温度範囲のうち、温度−１０℃から１０℃までの間と、温度３５℃から５０℃までの間に、子牛がストレスを感じる領域であることを示す表示を、それぞれ記載してなり、牛舎内の温度環境のもとで子牛がストレスを感じる環境であることを示す温度計が設けられていることを特徴とする（請求項２）。
【００１１】
また本発明は、温湿度指数の数字を表示するとともに、指針が回動自在に設けられた表示盤を備え、表示盤には、感湿材により検知された湿度により湿度用指針が示す牛舎内の湿度範囲のうち、湿度２０％から５０％までの間と、温度９０％から１００％までの間に、低湿度領域及び高湿度領域であることを示す表示を、それぞれ記載してなり、牛舎内の湿度環境のもとで子牛がストレスを感じる環境であることを示す湿度計が設けられていることを特徴とする（請求項３）。
【発明の効果】
【００１２】
本発明によれば、上記特徴を有することによって、子牛の適切な飼育環境を容易に把握できる子牛用の不快環境指標計を提供することができる。
【図面の簡単な説明】
【００１３】
【図１】子牛の発育と環境要因との関係を示す図である。
【図２】本発明の子牛用の不快環境指標計の正面図を示す。
【発明を実施するための形態】
【００１４】
以下、本発明に係わる子牛用の不快環境指標計の好ましい実施の形態を図１（ａ）、図１（ｂ）、図１（ｃ）、図２を参照しながら説明する。先ず、子牛用の不快環境指標計１を説明する前に、子牛の疾病発生状況と環境要因の関連について説明する。
【００１５】
図１（ａ）は温湿度指数（THI）と１日当たりの子牛の傷病発生件数との関係を示したものである。このデータは宮崎県内のある一地区管内（都城）のデータに基づくものである。図１（ａ）に示すように、温湿度指数（THI）が６０以下になると疾病発生件数が有意に増加する傾向にある。なお、温湿度指数は、温度（Ｔ）（℃）と相対湿度（Ｈ）（％）の関数であり、次式によって表される。
THI ＝ ０．８Ｔ + ０．０１Ｈ（Ｔ−１４．３)＋４６．３
【００１６】
図１（ｂ）は、子牛の生後３ヶ月間における温湿度指数（THI）とＤＧ指数との関係を示したグラフであり、図１（ｃ）は、子牛の生後４〜６ヶ月間における温湿度指数（THI）とＤＧ指数との関係を示したグラフである。ここで、ＤＧ指数とは、子牛の１日当たりの体重の増加量の雄雌それぞれの平均値を１とした場合の指数である。通常、この数値が大きいほど、発育が順調であることを示す。
【００１７】
図１（ｂ）に示すように、温湿度指数（THI）が６６以上では発育が良好であるのに対し、６５以下では発育が低下しているため、子牛は生後３ヶ月までは寒冷の影響を受け易いことが分かる。また、図１（ｃ）に示すように、温湿度指数（THI）が７０以下では発育が良好であるのに対し、７１以上では発育が低下しているため、子牛は生後４〜６ヶ月までは暑熱の影響を受け易いことが分かる。
【００１８】
このような子牛の環境要因を考慮して、本願の子牛用の不快環境指標計１が作られている。子牛用の不快環境指標計１は、図２に示すように、円盤状の指標計本体２と、指標計本体２の表面に文字や図形等が描かれた表示盤３と、表示盤３上に回動自在に支持された指針５と、指標計本体２内に設けられて気温や湿度を検知する感温湿部（図示せず）と、感温湿部により検知された温湿度に対応する温湿度指数に変換し、この温湿度指数を指し示すように指針５を移動させる指針駆動部（図示せず）とを有してなる。感温湿部及び指針駆動部については説明を省略する。
【００１９】
表示盤３の上側には、温湿度指数の数字（４０〜１００）が表示盤３の外周に沿って円弧状に表示され、これらの数字の内側には表示盤３の周方向に所定間隔を有して表示盤の径方向に延びる目盛り７が表示されている。表示盤３の中央部には、温湿度指数を指し示すための指針５が回動可能に設けられている。この指針５は表示盤３の中央部から温湿度指数の数字側へ延びて数字の４０と１００との間を移動する。
【００２０】
数字の４０と６０との間の内側及び数字の７０と１００との間の内側には、子牛がストレスを感じていることを示す色分けした表示９ａ、９ｂが設けられている。温湿度指数が小さい側の表示９ａは青色系の色彩によって表され、温湿度指数が大きい側の表示９ｂは赤色系の色彩が表されている。青色系の色彩の表示９ａのうち温湿度指数が５０を超える部分は、青色系の色彩の濃度が薄く、また赤色系の色彩の表示９ｂのうち温湿度指数が８０よりも小さい部分は、赤色系の色彩の濃度が薄くなっている。これらの濃度が薄くなる部分は、子牛が受けるストレスが小さいことを表している。なお、色彩については、青、赤に限るものではなく、他の有彩色でもよい。
【００２１】
このように温湿度指数のうち子牛がストレスを受ける領域を色分けして表示することで、指針５が指し示した位置が色分けした表示９ａ、９ｂ内であれば、子牛がストレスを受けていると容易に判断することができる。
【００２２】
表示盤３の下部右側には相対湿度を示す湿度計１１が設けられ、表示盤３の下部左側には気温を示す温度計３０が設けられている。また、表示盤３の中央部には子牛の絵が記載されて、不快環境指標計１が子牛用であることを示している。
【００２３】
湿度計１１は、湿度の数字（２０〜１００）が表示盤３の下部右側に上方へ行くほど数字が大きくなるように配置されて円弧状に表示され、これらの数字の内側には表示盤３の周方向に所定間隔を有して表示盤３の径方向に延びる目盛り１３が表示されている。湿度の数字は相対湿度を表し、単位は％である。表示盤３の中央部よりも下側には、湿度を指し示すための湿度用指針１５が回動可能に設けられている。この湿度用指針１５は表示盤３の中央部側から湿度の数字側へ延びて数字の２０と１００との間を移動する。
【００２４】
湿度の数字の２０と５０との間の内側及び数字の９０と１００との間の内側には、子牛にとってストレスとなる低湿度及び高湿度の環境であることを示す色分けした表示１７ａ、１７ｂが設けられている。低湿度の表示１７ａは青色系の色彩によって表され、高湿度の表示１７ｂは赤色系の色彩が表されている。なお、色彩については、青、赤に限るものではなく、他の有彩色でもよい。
【００２５】
このように、子牛にとってストレスとなる低湿度及び高湿度を色分けして表示することで、湿度用指針１５が指し示した位置が色分けした表示１７ａ、１７ｂ内であれば、湿度が子牛にとってストレスとなる低湿度又は高湿度であることを容易に判断することができる。
【００２６】
温度計３０は、温度の数字（−１０〜５０）が表示盤３の下部左側に上方へ行くほど数字が大きくなるように配置されて円弧状に表示され、これらの数字の内側には表示盤３の周方向に所定間隔を有して表示盤３の径方向に延びる目盛り３１が表示されている。温度の数字の単位は℃である。表示盤３の中央部よりも下側には、温度を指し示すための温度用指針３３が回動可能に設けられている。この温度用指針３３は表示盤３の中央部側から温度の数字側へ延びて数字の−１０と５０との間を移動する。
【００２７】
数字の−１０と１０との間の内側及び数字の２５（図面では３０）と５０との間の内側には、子牛が寒冷ストレス及び暑熱ストレスを感じていることを示す色分けした表示３５ａ、３５ｂが設けられている。寒冷ストレスの表示３５ａは青色系の色彩によって表され、暑熱ストレスの表示３５ｂは赤色系の色彩が表されている。なお、色彩については、青、赤に限るものではなく、他の有彩色でもよい。
【００２８】
このように、表示盤３に寒冷ストレス及び暑熱ストレスを色分けして表示することで、温度用指針３３が指し示した位置が色分けした表示３５ａ、３５ｂ内であれば、子牛が寒冷ストレス又は暑熱ストレスを受けていることを容易に判断することができる。
【００２９】
このように構成された子牛用の不快環境指標計１は、温度計３０や湿度計１１の他に、温湿度指数に基づいた子牛がストレスを受ける領域を色分けした表示９ａ、９ｂが設けられているので、温度計３０や湿度計１１からでは子牛がストレスを受けていないと思われる場合でも、子牛がストレスを受けている場合を確実に把握することができる（図２参照）。したがって、子牛の適切な飼育環境であるか否かの把握が確実になり、子牛育成における適切な飼育環境を提供することが可能になる。
【００３０】
なお、前述した実施例では、温湿度指数の表示を表示盤３の上部に表した場合を示したが、温湿度指数を表示盤３の下側に表したり、表示盤３の上部から下部に亘って表したりしてもよい。また、表示盤３は円盤状に限るものではなく、温湿度指数、温度、湿度、色分けした表示９ａ、９ｂ、１７ａ、１７ｂ，３５ａ，３５ｂを表すことができればいかなる形状でもよい。また、温湿度指数や色分けした表示９ａ、９ｂ等をデジタル表示にしてもよい。この場合、温湿度指数に応じてこの指数の背景を色分けした表示９ａ、９ｂに対応した色に発光するようにして、子牛がストレスを受けているか否かを認識できるようにしてもよい。
【符号の説明】
【００３１】
１  子牛用の不快環境指標計
５  指針
９ａ、９ｂ、１７ａ、１７ｂ、３５ａ、３５ｂ  表示
１１  湿度計
１５  湿度用指針
３０  温度計
３３  温度用指針
【図１】
2014008044.tif 000003
【図２】
2014008044.tif 000004